(57)【特許請求の範囲】
【請求項１】
ボディー及び前記ボディーの中にある塗装空間及び前記ボディーの右側端壁の中に設置された操作空間を含み、前記操作空間の底部が前記塗装空間と連通し、前記塗装空間の底壁の中には上方に開口したスライド空間が設置され、前記スライド空間の中にはスライドフレームが左右にスライドできるように設置され、前記スライドフレームが前記スライドフレームの中に設置された糸巻き装置によって前記スライドフレームを左右に移動連動させ、前記スライドフレームの上方には回転できる回転フレームが設置され、前記糸巻き装置が前記スライドフレームを移動連動させると同時に前記回転フレームを回転連動させ、前記回転フレームの頂壁の中には上方に開口した固定空間が設置され、前記固定空間の底壁の中には挟持装置が設置され、前記挟持装置は前記固定空間の底壁の中に中心対称的に形成された三つの上方に開口したスライドガイド溝を含み、前記スライドガイド溝の中には挟持ブロックがスライドできるように設置され、三つの前記挟持ブロックが前記固定空間の中心から離れる又は前記固定空間の中心に近接することを通じてハブを固定でき、前記操作空間の底壁の中には前記塗装空間の右側に位置する揺れ動き空間が設置され、前記揺れ動き空間の中にはドア開閉装置が設置され、前記塗装空間の底壁の中には前記スライド空間の右側に位置する切り換え空間が設置され、前記切り換え空間の中には前記糸巻き装置及び挟持装置に動力を提供する動力装置が設置され、前記ドア開閉装置が動作をする時に前記動力装置に前記糸巻き装置と前記挟持装置との間に動力を切り替えさせ、前記塗装空間の頂壁の中には圧力かけ空間が設置され、前記圧力かけ空間の中には塗装装置が設置され、前記回転フレームが移動しながら回転すると同時に前記塗装装置がハブを塗装することを協力することを特徴とするアルミニウム合金製ハブ専用の塗料の塗装装置。
【請求項２】
前記糸巻き装置は前記スライドフレームの中に設置された第一伝動空間を含み、前記第一伝動空間の中には第一スプラインスリーブが回転できるように設置され、前記第一スプラインスリーブの中には左右に貫通したスプライン孔が設置され、前記スプライン孔の中には第一スプライン軸がスプラインによって連結され、前記第一スプライン軸の外表面には前記スライドフレームと前記スライド空間の左側端壁との間に位置する押圧ばねが取り囲まれ、前記第一スプラインスリーブの外表面には第一傘歯車が固定的に設置され、前記第一伝動空間の頂壁の中には糸巻き空間が設置され、前記糸巻き空間の中には前記回転フレームと固定的に連結された第一回転軸が回転できるように設置され、前記糸巻き空間の中の前記第一回転軸の外表面にはリールが固定的に設置され、前記第一回転軸の底部末端が前記第一伝動空間の中に伸び、且つ前記第一回転軸の底部末端には前記第一傘歯車と噛み合っている第二傘歯車が固定的に設置され、前記糸巻き空間の左側端壁の中には外部空間と連通するバイアホールが設置され、前記リールの外表面には前記スライド空間の左側端壁と固定的に連結された引き紐が巻き付くように設置されていることを特徴とする請求項１に記載のアルミニウム合金製ハブ専用の塗料の塗装装置。
【請求項３】
前記挟持装置は固定空間の底壁の中に設置された噛み合い空間を含み、前記挟持ブロックの中には第一ネジ孔が設置され、前記第一ネジ孔の中には第一ネジロッドがネジ山によって連結され、前記第一ネジロッドが前記噛み合い空間の中に伸び、且つ前記第一ネジロッドの末端には第三傘歯車が固定的に設置され、前記噛み合い空間の底壁の中には第一ベルト空間が設置され、前記噛み合い空間と前記第一ベルト空間との間には第二回転軸が回転できるように設置され、前記噛み合い空間の中の前記第二回転軸の末端には前記第三傘歯車と噛み合っている第四傘歯車が固定的に設置され、前記第一ベルト空間の中の前記第二回転軸の末端には第一プーリが固定的に設置され、前記第一ベルト空間の底壁の中には第三回転軸が回転できるように設置され、前記第一ベルト空間の中の前記第三回転軸の末端には第二プーリが固定的に設置され、前記第二プーリと前記第一プーリとが第一ベルトによって伝動できるように連結され、前記第一ベルト空間の底部末端には第二スプラインスリーブが固定的に設置されていることを特徴とする請求項１に記載のアルミニウム合金製ハブ専用の塗料の塗装装置。
【請求項４】
前記ドア開閉装置は前記揺れ動き空間の中に回転できるように設置された第四回転軸を含み、前記第四回転軸の外表面には密封ドアとウォームホイールとが固定的に設置され、前記揺れ動き空間の中には前記ウォームホイールと噛み合っているウォームが回転できるように設置されていることを特徴とする請求項１に記載のアルミニウム合金製ハブ専用の塗料の塗装装置。
【請求項５】
前記動力装置は前記切り換え空間の中にスライドできるように設置されたスライドブロックを含み、前記スライドブロックの中には上下に貫通した第二ネジ孔が設置され、前記第二ネジ孔の中には第二ネジロッドがネジ山によって連結され、前記第二ネジロッドの頂部末端が前記ウォームと固定的に連結され、前記第二ネジロッドの底部末端が前記切り換え空間の底壁の中に固定的に設置された第一モーターと動力が伝達できるように連結され、前記スライドブロックの中には第二モーターが固定的に設置され、前記第二モーターの出力軸が上下両側に伸びている末端には第二スプライン軸が固定的に設置され、前記切り換え空間の底壁の中には第二伝動空間が設置され、前記第二伝動空間と前記切り換え空間との間には第五回転軸が回転できるように設置され、前記切り換え空間の中の前記第五回転軸の末端には第三スプラインスリーブが固定的に設置され、前記第二伝動空間の中の前記第五回転軸の末端には第五傘歯車が固定的に設置され、前記第一スプライン軸の右側が前記第二伝動空間の中に伸び、且つ前記第一スプライン軸の右側の末端には前記第五傘歯車と噛み合っている第六傘歯車が固定的に設置されていることを特徴とする請求項１に記載のアルミニウム合金製ハブ専用の塗料の塗装装置。
【請求項６】
前記塗装装置は前記ボディーの左側端壁の中に設置された第二ベルト空間を含み、前記第一スプライン軸の左側が前記第二ベルト空間の中に伸び、且つ前記第一スプライン軸の左側の末端には第三プーリが固定的に設置され、前記圧力かけ空間の中には圧力かけブロックがスライドできるように設置され、前記圧力かけブロックの左側端壁の中には左方に開口した第三ネジ孔が設置され、前記第三ネジ孔の中には第三ネジロッドがネジ山によって連結され、前記第三ネジロッドの左側が前記第二ベルト空間の中に伸び、且つ前記第三ネジロッドの左側の末端には第四プーリが固定的に設置され、前記第四プーリと前記第三プーリとが第二ベルトによって伝動できるように連結され、前記塗装空間の頂壁の中には前記圧力空間と連通する霧化ノズルが設置され、前記ボディーの頂壁の中には専用塗料を貯蔵できる液貯蔵空間が設置され、前記液貯蔵空間と前記圧力かけ空間との間には抜き孔が連通するように設置されていることを特徴とする請求項１に記載のアルミニウム合金製ハブ専用の塗料の塗装装置。
【発明の詳細な説明】
【技術分野】
【０００１】
本発明は塗装設備分野に関わり、特にアルミニウム合金製ハブ専用の塗料の塗装装置である。
【背景技術】
【０００２】
ハブに専用の塗料を噴き付ける時、常に塗装空間の気密性が良くないために空気を汚染し、健康を危うくし、また伝統的な人工塗装は均等的に塗料を噴き付けることができなく、その故、塗装面が平らではなく、それによって製品の品質を下げ、伝統的な塗装方式は自動化程度が低く、従ってアルミニウム合金製ハブ専用の塗料を塗装する装置をデザインして上記の問題を解決する必要がある。
【先行技術文献】
【特許文献】
【０００３】
【特許文献１】中国特許出願公開第１０５２０１１８１号明細書
【発明の概要】
【発明が解決しようとする課題】
【０００４】
本発明はアルミニウム合金製ハブ専用の塗料の塗装装置を提供することを目的とし、既存技術にある上記の欠点を解消でき、設備の実用性を高める。
【課題を解決するための手段】
【０００５】
本発明は技術問題を解決するために利用した技術プランは：本発明のアルミニウム合金製ハブ専用の塗料の塗装装置は、ボディー及び前記ボディーの中にある塗装空間及び前記ボディーの右側端壁の中に設置された操作空間を含み、前記操作空間の底部が前記塗装空間と連通し、前記塗装空間の底壁の中には上方に開口したスライド空間が設置され、前記スライド空間の中にはスライドフレームが左右にスライドできるように設置され、前記スライドフレームが前記スライドフレームの中に設置された糸巻き装置によって前記スライドフレームを左右に移動連動させ、前記スライドフレームの上方には回転できる回転フレームが設置され、前記糸巻き装置が前記スライドフレームを移動連動させると同時に前記回転フレームを回転連動させ、前記回転フレームの頂壁の中には上方に開口した固定空間が設置され、前記固定空間の底壁の中には挟持装置が設置され、前記挟持装置は前記固定空間の底壁の中に中心対称的に形成された三つの上方に開口したスライドガイド溝を含み、前記スライドガイド溝の中には挟持ブロックがスライドできるように設置され、三つの前記挟持ブロックが前記固定空間の中心から離れる又は前記固定空間の中心に近接することを通じてハブを固定でき、前記操作空間の底壁の中には前記塗装空間の右側に位置する揺れ動き空間が設置され、前記揺れ動き空間の中にはドア開閉装置が設置され、前記塗装空間の底壁の中には前記スライド空間の右側に位置する切り換え空間が設置され、前記切り換え空間の中には前記糸巻き装置及び挟持装置に動力を提供する動力装置が設置され、前記ドア開閉装置が動作をする時に前記動力装置に前記糸巻き装置と前記挟持装置との間に動力を切り替えさせ、前記塗装空間の頂壁の中には圧力かけ空間が設置され、前記圧力かけ空間の中には塗装装置が設置され、前記回転フレームが移動しながら回転すると同時に前記塗装装置がハブを塗装することを協力する。
【０００６】
さらに、前記糸巻き装置は前記スライドフレームの中に設置された第一伝動空間を含み、前記第一伝動空間の中には第一スプラインスリーブが回転できるように設置され、前記第一スプラインスリーブの中には左右に貫通したスプライン孔が設置され、前記スプライン孔の中には第一スプライン軸がスプラインによって連結され、前記第一スプライン軸の外表面には前記スライドフレームと前記スライド空間の左側端壁との間に位置する押圧ばねが取り囲まれ、前記第一スプラインスリーブの外表面には第一傘歯車が固定的に設置され、前記第一伝動空間の頂壁の中には糸巻き空間が設置され、前記糸巻き空間の中には前記回転フレームと固定的に連結された第一回転軸が回転できるように設置され、前記糸巻き空間の中の前記第一回転軸の外表面にはリールが固定的に設置され、前記第一回転軸の底部末端が前記第一伝動空間の中に伸び、且つ前記第一回転軸の底部末端には前記第一傘歯車と噛み合っている第二傘歯車が固定的に設置され、前記糸巻き空間の左側端壁の中には外部空間と連通するバイアホールが設置され、前記リールの外表面には前記スライド空間の左側端壁と固定的に連結された引き紐が巻き付くように設置されている。
【０００７】
さらに、前記挟持装置は固定空間の底壁の中に設置された噛み合い空間を含み、前記挟持ブロックの中には第一ネジ孔が設置され、前記第一ネジ孔の中には第一ネジロッドがネジ山によって連結され、前記第一ネジロッドが前記噛み合い空間の中に伸び、且つ前記第一ネジロッドの末端には第三傘歯車が固定的に設置され、前記噛み合い空間の底壁の中には第一ベルト空間が設置され、前記噛み合い空間と前記第一ベルト空間との間には第二回転軸が回転できるように設置され、前記噛み合い空間の中の前記第二回転軸の末端には前記第三傘歯車と噛み合っている第四傘歯車が固定的に設置され、前記第一ベルト空間の中の前記第二回転軸の末端には第一プーリが固定的に設置され、前記第一ベルト空間の底壁の中には第三回転軸が回転できるように設置され、前記第一ベルト空間の中の前記第三回転軸の末端には第二プーリが固定的に設置され、前記第二プーリと前記第一プーリとが第一ベルトによって伝動できるように連結され、前記第一ベルト空間の底部末端には第二スプラインスリーブが固定的に設置されている。
【０００８】
さらに、前記ドア開閉装置は前記揺れ動き空間の中に回転できるように設置された第四回転軸を含み、前記第四回転軸の外表面には密封ドアとウォームホイールとが固定的に設置され、前記揺れ動き空間の中には前記ウォームホイールと噛み合っているウォームが回転できるように設置されている。
【０００９】
さらに、前記動力装置は前記切り換え空間の中にスライドできるように設置されたスライドブロックを含み、前記スライドブロックの中には上下に貫通した第二ネジ孔が設置され、前記第二ネジ孔の中には第二ネジロッドがネジ山によって連結され、前記第二ネジロッドの頂部末端が前記ウォームと固定的に連結され、前記第二ネジロッドの底部末端が前記切り換え空間の底壁の中に固定的に設置された第一モーターと動力が伝達できるように連結され、前記スライドブロックの中には第二モーターが固定的に設置され、前記第二モーターの出力軸が上下両側に伸びている末端には第二スプライン軸が固定的に設置され、前記切り換え空間の底壁の中には第二伝動空間が設置され、前記第二伝動空間と前記切り換え空間との間には第五回転軸が回転できるように設置され、前記切り換え空間の中の前記第五回転軸の末端には第三スプラインスリーブが固定的に設置され、前記第二伝動空間の中の前記第五回転軸の末端には第五傘歯車が固定的に設置され、前記第一スプライン軸の右側が前記第二伝動空間の中に伸び、且つ前記第一スプライン軸の右側の末端には前記第五傘歯車と噛み合っている第六傘歯車が固定的に設置されている。
【００１０】
さらに、前記塗装装置は前記ボディーの左側端壁の中に設置された第二ベルト空間を含み、前記第一スプライン軸の左側が前記第二ベルト空間の中に伸び、且つ前記第一スプライン軸の左側の末端には第三プーリが固定的に設置され、前記圧力かけ空間の中には圧力かけブロックがスライドできるように設置され、前記圧力かけブロックの左側端壁の中には左方に開口した第三ネジ孔が設置され、前記第三ネジ孔の中には第三ネジロッドがネジ山によって連結され、前記第三ネジロッドの左側が前記第二ベルト空間の中に伸び、且つ前記第三ネジロッドの左側の末端には第四プーリが固定的に設置され、前記第四プーリと前記第三プーリとが第二ベルトによって伝動できるように連結され、前記塗装空間の頂壁の中には前記圧力空間と連通する霧化ノズルが設置され、前記ボディーの頂壁の中には専用塗料を貯蔵できる液貯蔵空間が設置され、前記液貯蔵空間と前記圧力かけ空間との間には抜き孔が連通するように設置されている。
【発明の効果】
【００１１】
本発明の有益な効果は：本発明が提供するアルミニウム合金製ハブ専用の塗料の塗装装置は、自動でハブに塗料を噴き付けることを実現でき、また、設備が塗装する時に塗装空間を密封し、塗料が空気を汚染し、作業員の健康を危うくすることを防止し、同時に設備は環状に漸進的に塗装方式を利用し、均等的に塗装でき、また塗装面はより平らになり、生産と普及と使用に便利である。
【図面の簡単な説明】
【００１２】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明のアルミニウム合金製ハブ専用の塗料の塗装装置の全体構成概略図
【図２】図２は図１のＡ―Ａの構成概略図
【図３】図３は図１のＢの拡大構成概略図
【図４】図４は図１のＣの拡大構成概略図
【発明を実施するための形態】
【００１４】
付図１〜４に記載のアルミニウム合金製ハブ専用の塗料の塗装装置は、ボディー１０及び前記ボディー１０の中にある塗装空間１９及び前記ボディー１０の右側端壁の中に設置された操作空間７０を含み、前記操作空間７０の底部が前記塗装空間１９と連通し、前記塗装空間１９の底壁の中には上方に開口したスライド空間２３が設置され、前記スライド空間２３の中にはスライドフレーム３０が左右にスライドできるように設置され、前記スライドフレーム３０が前記スライドフレーム３０の中に設置された糸巻き装置９９によって前記スライドフレーム３０を左右に移動連動させ、前記スライドフレーム３０の上方には回転できる回転フレーム５３が設置され、前記糸巻き装置９９が前記スライドフレーム３０を移動連動させると同時に前記回転フレーム５３を回転連動させ、前記回転フレーム５３の頂壁の中には上方に開口した固定空間５２が設置され、前記固定空間５２の底壁の中には挟持装置９８が設置され、前記挟持装置９８は前記固定空間５２の底壁の中に中心対称的に形成された三つの上方に開口したスライドガイド溝５４を含み、前記スライドガイド溝５４の中には挟持ブロック４７がスライドできるように設置され、三つの前記挟持ブロック４７が前記固定空間５２の中心から離れる又は前記固定空間５２の中心に近接することを通じてハブを固定でき、前記操作空間７０の底壁の中には前記塗装空間１９の右側に位置する揺れ動き空間３７が設置され、前記揺れ動き空間３７の中にはドア開閉装置９７が設置され、前記塗装空間１９の底壁の中には前記スライド空間２３の右側に位置する切り換え空間３５が設置され、前記切り換え空間３５の中には前記糸巻き装置９９及び挟持装置９８に動力を提供する動力装置９６が設置され、前記ドア開閉装置９７が動作をする時に前記動力装置９６に前記糸巻き装置９９と前記挟持装置９８との間に動力を切り替えさせ、前記塗装空間１９の頂壁の中には圧力かけ空間１６が設置され、前記圧力かけ空間１６の中には塗装装置９５が設置され、前記回転フレーム５３が移動しながら回転すると同時に前記塗装装置９５がハブを塗装することを協力する。
【００１５】
有益なように、前記糸巻き装置９９は前記スライドフレーム３０の中に設置された第一伝動空間２８を含み、前記第一伝動空間２８の中には第一スプラインスリーブ２５が回転できるように設置され、前記第一スプラインスリーブ２５の中には左右に貫通したスプライン孔２６が設置され、前記スプライン孔２６の中には第一スプライン軸２１がスプラインによって連結され、前記第一スプライン軸２１の外表面には前記スライドフレーム３０と前記スライド空間２３の左側端壁との間に位置する押圧ばね２２が取り囲まれ、前記第一スプラインスリーブ２５の外表面には第一傘歯車２７が固定的に設置され、前記第一伝動空間２８の頂壁の中には糸巻き空間６７が設置され、前記糸巻き空間６７の中には前記回転フレーム５３と固定的に連結された第一回転軸６９が回転できるように設置され、前記糸巻き空間６７の中の前記第一回転軸６９の外表面にはリール６８が固定的に設置され、前記第一回転軸６９の底部末端が前記第一伝動空間２８の中に伸び、且つ前記第一回転軸６９の底部末端には前記第一傘歯車２７と噛み合っている第二傘歯車２９が固定的に設置され、前記糸巻き空間６７の左側端壁の中には外部空間と連通するバイアホール６６が設置され、前記リール６８の外表面には前記スライド空間２３の左側端壁と固定的に連結された引き紐２４が巻き付くように設置されている。
【００１６】
有益なように、前記挟持装置９８は固定空間５２の底壁の中に設置された噛み合い空間４４を含み、前記挟持ブロック４７の中には第一ネジ孔４６が設置され、前記第一ネジ孔４６の中には第一ネジロッド５５がネジ山によって連結され、前記第一ネジロッド５５が前記噛み合い空間４４の中に伸び、且つ前記第一ネジロッド５５の末端には第三傘歯車４５が固定的に設置され、前記噛み合い空間４４の底壁の中には第一ベルト空間５６が設置され、前記噛み合い空間４４と前記第一ベルト空間５６との間には第二回転軸４２が回転できるように設置され、前記噛み合い空間４４の中の前記第二回転軸４２の末端には前記第三傘歯車４５と噛み合っている第四傘歯車４３が固定的に設置され、前記第一ベルト空間５６の中の前記第二回転軸４２の末端には第一プーリ４１が固定的に設置され、前記第一ベルト空間５６の底壁の中には第三回転軸５９が回転できるように設置され、前記第一ベルト空間５６の中の前記第三回転軸５９の末端には第二プーリ５８が固定的に設置され、前記第二プーリ５８と前記第一プーリ４１とが第一ベルト５７によって伝動できるように連結され、前記第一ベルト空間５６の底部末端には第二スプラインスリーブ６０が固定的に設置されている。
【００１７】
有益なように、前記ドア開閉装置９７は前記揺れ動き空間３７の中に回転できるように設置された第四回転軸３９を含み、前記第四回転軸３９の外表面には密封ドア４８とウォームホイール４０とが固定的に設置され、前記揺れ動き空間３７の中には前記ウォームホイール４０と噛み合っているウォーム３８が回転できるように設置されている。
【００１８】
有益なように、前記動力装置９６は前記切り換え空間３５の中にスライドできるように設置されたスライドブロック３４を含み、前記スライドブロック３４の中には上下に貫通した第二ネジ孔３３が設置され、前記第二ネジ孔３３の中には第二ネジロッド３６がネジ山によって連結され、前記第二ネジロッド３６の頂部末端が前記ウォーム３８と固定的に連結され、前記第二ネジロッド３６の底部末端が前記切り換え空間３５の底壁の中に固定的に設置された第一モーター３２と動力が伝達できるように連結され、前記スライドブロック３４の中には第二モーター６４が固定的に設置され、前記第二モーター６４の出力軸が上下両側に伸びている末端には第二スプライン軸６５が固定的に設置され、前記切り換え空間３５の底壁の中には第二伝動空間３１が設置され、前記第二伝動空間３１と前記切り換え空間３５との間には第五回転軸６２が回転できるように設置され、前記切り換え空間３５の中の前記第五回転軸６２の末端には第三スプラインスリーブ６３が固定的に設置され、前記第二伝動空間３１の中の前記第五回転軸６２の末端には第五傘歯車６１が固定的に設置され、前記第一スプライン軸２１の右側が前記第二伝動空間３１の中に伸び、且つ前記第一スプライン軸２１の右側の末端には前記第五傘歯車６１と噛み合っている第六傘歯車７１が固定的に設置されている。
【００１９】
有益なように、前記塗装装置９５は前記ボディー１０の左側端壁の中に設置された第二ベルト空間１１を含み、前記第一スプライン軸２１の左側が前記第二ベルト空間１１の中に伸び、且つ前記第一スプライン軸２１の左側の末端には第三プーリ２０が固定的に設置され、前記圧力かけ空間１６の中には圧力かけブロック１５がスライドできるように設置され、前記圧力かけブロック１５の左側端壁の中には左方に開口した第三ネジ孔１４が設置され、前記第三ネジ孔１４の中には第三ネジロッド１３がネジ山によって連結され、前記第三ネジロッド１３の左側が前記第二ベルト空間１１の中に伸び、且つ前記第三ネジロッド１３の左側の末端には第四プーリ１２が固定的に設置され、前記第四プーリ１２と前記第三プーリ２０とが第二ベルト１７によって伝動できるように連結され、前記塗装空間１９の頂壁の中には前記圧力空間１６と連通する霧化ノズル４９が設置され、前記ボディー１０の頂壁の中には専用塗料を貯蔵できる液貯蔵空間５１が設置され、前記液貯蔵空間５１と前記圧力かけ空間１６との間には抜き孔５０が連通するように設置されている。
【００２０】
本実施例に記載の固定的に連結する方法はボルトによる固定や溶接する方法などに限定されない。
【００２１】
装置全体の機械動作の順序は下記通りである。
【００２２】
１、本発明の設備が作動する時、専用塗料を前記液貯蔵空間５１の中に置き、前記第一モーター３２が起動して前記第二ネジロッド３６を回転連動させ、前記第二ネジロッド３６が回転するのを通じて前記ウォーム３８を回転連動させ、前記ウォーム３８が回転するのを通じて前記ウォームホイール４０を回転連動させ、前記ウォームホイール４０が回転するのを通じて前記密封ドア４８を回転させて開け、それと同時に前記第二ネジロッド３６が回転するのを通じて前記スライドブロック３４を上方に移動連動させ、それによって前記第二スプライン軸６５が上方に移動して前記第二スプラインスリーブ６０の中に差し込まれ、且つ前記第二スプラインスリーブ６０とスプラインによって嵌合され、この時に塗装されるハブの塗装面を上向きに前記固定空間５２の中に置き、この時に前記第二モーター６４が起動して前記第二スプライン軸６５を回転連動させ、それによって前記第二スプラインスリーブ６０を回転連動させ、それによって前記第三回転軸５９を回転連動させ、それによって前記第二プーリ５８を回転連動させ、それによって前記第一プーリ４１を回転連動させ、それによって前記第四傘歯車４３を回転連動させ、それによって前記第三傘歯車４５を回転連動させ、それによって前記第一ネジロッド５５を回転連動させ、それによって前記挟持ブロック４７を移動連動させ、それによってハブを引っ掛らせる。
【００２３】
２、この時に前記第一モーター３２が起動して前記第二ネジ孔３３を逆方向に回転連動させ、それによって前記密封ドア４８が逆方向に回転して閉まり、同時に前記第二ネジロッド３６が回転するのを通じて前記スライドブロック３４を下方に移動復帰させ、この時に前記第二モーター６４が起動して前記第二スプライン軸６５を回転連動させ、それによって前記第三スプラインスリーブ６３を回転連動させ、それによって前記第五傘歯車６１を回転連動させ、それによって前記第六傘歯車７１を回転連動させ、それによって前記第一スプライン軸２１を回転連動させ、前記第一スプライン軸２１が回転するのを通じて前記第一スプラインスリーブ２５を回転連動させ、それによって前記第一傘歯車２７を回転連動させ、それによって前記第二傘歯車２９を回転連動させ、それによって前記回転フレーム５３を回転連動させ、前記第二傘歯車２９が回転するのを通じて前記リール６８を回転連動させ、前記リール６８が回転して前記バイアホール６６に巻き付き、この時に前記スライドフレーム３０が左方に移動して前記押圧ばね２２を圧縮する。
【００２４】
３、上記のハブが前記回転フレーム５３の回転につれて左方に移動し、同時に前記第一スプライン軸２１が回転するのを通じて前記第三プーリ２０を回転連動させ、前記第三プーリ２０が回転するのを通じて前記第四プーリ１２を回転連動させ、それによって前記第三ネジロッド１３を回転連動させ、前記第三ネジロッド１３が回転するのを通じて前記圧力かけブロック１５を右方に移動連動させ、前記圧力かけブロック１５が右方に移動して前記圧力かけ空間１６の中の専用塗料に圧力をかけ、上記の専用塗料が加圧された後に前記霧化ノズル４９によって前記塗装空間１９の中のハブの塗装面に噴き付けられ、それによってハブを塗装することを実現する。
【００２５】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【図１】
0006859534.tif 000002
【図２】
0006859534.tif 000003
【図３】
0006859534.tif 000004
【図４】
0006859534.tif 000005